(57)【特許請求の範囲】
【請求項１】
撤去対象の埋設管を管長手方向に締め込むために、その埋設管の全長に亘って挿通した索条体を緊張状態で埋設管端部に固定する索条体固定治具であって、
前記索条体を前記埋設管の全長に亘って挿通した状態で、前記埋設管端部に管長手方向から係止可能な反力受け部材と、その反力受け部材に形成した嵌合部に埋設管の外側から管長手方向に嵌合自在な楔部材とを備え、
前記嵌合部を、その嵌合面に前記索条体を索条体径方向から装脱自在に設け、
前記反力受け部材を前記埋設管端部に係止するとともに、前記索条体を前記嵌合部の嵌合面と前記楔部材の楔面との間に挟み込んで、その索条体を緊張状態で埋設管端部に係止固定するように構成してある索条体固定治具。
【請求項２】
前記楔部材に、前記索条体を索条体径方向から装脱自在で、かつ、その索条体を前記嵌合面と前記楔面との間に挟み込んだ索条体部分対して屈曲するように挟み付けて固定する固定具を設けてある請求項１記載の索条体固定治具。
【発明の詳細な説明】
【０００１】
【発明の属する技術分野】
本発明は、撤去対象の埋設管を管長手方向に締め込むために、その埋設管の全長に亘って挿通した索条体を緊張状態で埋設管端部に固定する索条体固定治具に関する。
【０００２】
【従来の技術】
撤去対象の埋設管の一端部を把持して地中から引き抜く埋設管引き抜き工法において、埋設管の途中箇所に印ロウ管継手（ソケット管接合) などを使用してある抜け止め阻止力が小さい継手部分がある場合は、埋設管の一端部を把持して引き抜こうとすると、その継手部分が外れて埋設管が地中で分断されてしまい、埋設管を全長に亘って引き抜けないおそれがある。
上記索条体固定治具は、このような埋設管引き抜き工法において、埋設管の一端部を把持して引き抜いても、抜け止め阻止力が少ない継手部分が外れないよう、撤去対象の埋設管の全長に亘って挿通した索条体を緊張状態で埋設管端部に固定して、その埋設管を管長手方向に締め込むために使用されている。
従来の索条体固定治具としては、図８（イ) に示すように、筒体３２に複数のワイヤー固定用ビス３３を螺着した筒状の固定治具Ｂを使用しており、図８（ロ) に示すように、ワイヤー（索条体の一例) １を撤去対象の埋設管Ａの全長に亘って挿通して、その一端側を埋設管Ａの一端部に固定するとともに、他端側を固定治具Ｂに挿通し、他端側を引っ張ることにより緊張させたワイヤー１に固定治具Ｂをビス３３で締め付け固定して、その固定治具Ｂを埋設管Ａの引き抜き方向下手側の他端部に係止するように構成してある。
【０００３】
【発明が解決しようとする課題】
このため、図９（イ) に示すように、埋設管Ａの引き抜き方向下手側に設けたピット３４内に、埋設管Ａの端部を把持して牽引する牽引装置Ｃを設置して、その牽引装置Ｃで埋設管Ａの一端部を把持し、埋設管Ａの一部をピット３４内に引き抜いて、その引き抜き部分３１を筒状に切断してから、再度、ワイヤー１を緊張させて、固定治具Ｂで埋設管端部に固定し直し、図９（ロ) に示すように、埋設管Ａの端部を把持し直して、牽引装置Ｃでその一部を引き抜くという作業を繰り返すことにより、撤去対象の埋設管Ａを全長に亘って引き抜く場合は、ワイヤー１の固定治具Ｂへの抜き差しに手間が掛かり、埋設管Ａを能率良く引き抜けない欠点がある。
つまり、埋設管Ａの一端部を把持してその一部を引き抜く作業を繰り返すには、その都度、引き抜き部分３１を切断したあとの埋設管端部に固定治具Ｂを係止し直す必要があるが、筒状の固定治具Ｂを使用しているために、固定治具Ｂと筒状に切断した引き抜き部分３１とからワイヤー１を抜き出して、切断した引き抜き部分３１をワイヤー１から外してから、固定治具Ｂにワイヤー１を挿通し直して、埋設管端部に係止する必要があり、固定治具Ｂや筒状に切断した引き抜き部分３１へのワイヤー１の抜き差しに手間が掛かるからである。
本発明は上記実情に鑑みてなされたものであって、埋設管の一端部を把持してその一部をピット内に引き抜き、その引き抜き部分を筒状に切断してから、再度、埋設管の端部を把持してその一部を引き抜くという作業を繰り返すことによって、撤去対象の埋設管を全長に亘って引き抜く場合に、埋設管を能率良く引き抜けるようにすることを目的とする。
【０００４】
【課題を解決するための手段】
請求項１記載の発明の特徴構成は、撤去対象の埋設管を管長手方向に締め込むために、その埋設管の全長に亘って挿通した索条体を緊張状態で埋設管端部に固定する索条体固定治具であって、前記索条体を前記埋設管の全長に亘って挿通した状態で、前記埋設管端部に管長手方向から係止可能な反力受け部材と、その反力受け部材に形成した嵌合部に埋設管の外側から管長手方向に嵌合自在な楔部材とを備え、前記嵌合部を、その嵌合面に前記索条体を索条体径方向から装脱自在に設け、前記反力受け部材を前記埋設管端部に係止するとともに、前記索条体を前記嵌合部の嵌合面と前記楔部材の楔面との間に挟み込んで、その索条体を緊張状態で埋設管端部に係止固定するように構成してある点にある。
〔作用〕
索条体を緊張状態で埋設管端部に係止固定するときは、索条体を撤去対象の埋設管の全長に亘って挿通した状態で、反力受け部材を埋設管端部に管長手方向から係止して、緊張させた索条体をその反力受け部材に形成した嵌合部の嵌合面に索条体径方向から装着し、楔部材を嵌合部に埋設管の外側から管長手方向に嵌合することにより、索条体を嵌合部の嵌合面と楔部材の楔面との間に挟み込んで、その索条体を緊張状態で埋設管端部に係止固定する。
そして、埋設管の一端部を把持して牽引するに伴って、抜け止め阻止力が小さい継手部分が緩んで埋設管が伸びようとすると、埋設管端部に係止してある反力受け部材と楔部材とが、楔部材を嵌合部に押し込むように相対移動して、嵌合部と楔部材とによる索条体の挟み込み力が増大する。
また、索条体を係止固定している反力受け部材と楔部材とを埋設管端部から外すときは、楔部材の嵌合部への嵌合を解除して、索条体が嵌合部から索条体径方向に抜け出るように、反力受け部材と楔部材とを埋設管端部から撤去する。
〔効果〕
索条体を緊張状態で埋設管端部に係止固定するときも、索条体の係止固定を解除するときも、索条体に対して索条体径方向から装脱することができるので、埋設管の引き抜き方向下手側に設けたピット内に、埋設管の端部を把持して牽引する牽引装置を設置し、その牽引装置で埋設管の一端部を把持して埋設管の一部をピット内に引き抜いて、その引き抜き部分を筒状に切断してから、再度、埋設管の端部を把持してその一部を引き抜くという作業を繰り返すことによって、撤去対象の埋設管を全長に亘って引き抜く場合に、固定治具や筒状に切断した引き抜き部分にワイヤーを抜き差しすることなく、引き抜き部分を切断したあとの埋設管端部に固定治具を係止し直すことができ、埋設管を能率良く引き抜くことができる。
また、埋設管の端部を把持して牽引するに伴って、抜け止め阻止力が小さい継手部分が緩んで埋設管が伸びようとすると、嵌合部の嵌合面と楔部材の楔面とによる索条体の挟み込み力が増大するので、索条体を緊張状態で埋設管端部に係止固定するときに、索条体の挟み込み力が小さい軽い操作力で索条体を嵌合面と楔面との間に簡便に挟み込みながら、索条体が緩まないように固定し易い。
【０００５】
請求項２記載の発明の特徴構成は、前記楔部材に、前記索条体を索条体径方向から装脱自在で、かつ、その索条体を前記嵌合面と前記楔面との間に挟み込んだ索条体部分対して屈曲するように挟み付けて固定する固定具を設けてある点にある。
〔作用〕
索条体を緊張状態で埋設管端部に係止固定するときも、索条体から外すときも、楔部材を索条体に対して索条体径方向から装脱できるようにしながら、索条体を嵌合面と楔面との間に挟み込んだ索条体部分対して屈曲するように挟み付けて、索条体と楔部材との管長手方向に沿う相対移動に対して大きな抵抗が作用するように固定できる。
〔効果〕
索条体を嵌合部の嵌合面と楔部材の楔面との間に挟み込んで、その索条体を緊張状態で埋設管端部に係止固定したときに、索条体と楔部材とが管長手方向に相対移動しにくく、索条体が緩みにくい。
【０００６】
【発明の実施の形態】
以下に本発明の実施の形態を図面に基づいて説明する。尚、図面において従来例と同一の符号で表示した部分は、同一又は相当の部分を示している。
図１〜図３は、撤去対象の都市ガス供給用鋼製埋設管Ａを管長手方向に締め込むために、その埋設管Ａの全長に亘って挿通した鋼製ワイヤー（索条体の一例) １を緊張状態で埋設管端部に固定する本発明に係るステンレス鋼製の索条体固定治具（以下、単に固定治具という) Ｂを示し、図４〜図７は、その固定治具Ｂを使用して、撤去対象の埋設管Ａの一端部を把持して地中から引き抜く埋設管引き抜き工法を示している。
【０００７】
前記固定治具Ｂは、図１，図２に示すように、ワイヤー１を埋設管Ａの全長に亘って挿通した状態で、埋設管端部に管長手方向から係止可能な反力受け部材２と、その反力受け部材２に形成した嵌合部４に埋設管Ａの外側から管長手方向に嵌合自在な楔部材３とを備えている。
【０００８】
前記反力受け部材２は、埋設管Ａの端部に外嵌するキャップ部材５と、嵌合部４を形成してある嵌合部材６とを溶接で一体に固定して構成してあり、ワイヤー１を埋設管Ａの全長に亘って挿通した状態でキャップ部材５を埋設管Ａの端部に外嵌できるように、ワイヤー１をワイヤー径方向から挿通自在な切欠き部７をキャップ部材５に設けてある。
【０００９】
前記嵌合部４は、ワイヤー１を楔部材３との間に挟み込む横断面が円弧状の第１嵌合面８と、楔部材３が直に接当する第２嵌合面９とを備えた略Ｖ字形の溝状に形成するとともに、切欠き部７に連通するワイヤー挿通溝１０を形成して、切欠き部７に挿通したワイヤー１を第１嵌合面８にワイヤー径方向から装脱自在に設けてあり、第１嵌合面８には、ワイヤー１に食い込み可能な多数の突条を円弧状に形成したワイヤー係止部１１を設けてある。
【００１０】
前記楔部材３は、ワイヤー１を第１嵌合面８との間に挟み込む横断面が円弧状の第１楔面１２と、第２嵌合面９に接当する第２楔面１３とを備えた略Ｖ字形に形成してあり、第１楔面１２にも、ワイヤー１に食い込み可能な多数の突条を円弧状に形成したワイヤー係止部１４を設けてある。
【００１１】
また、第１楔面１２の嵌合方向後端側に、その第１楔面１２対して傾斜する横断面が円弧状の傾斜面１５を形成して、傾斜面１５との間にワイヤー１をワイヤー径方向から装脱自在で、かつ、そのワイヤー１を第１嵌合面８と第１楔面１２との間に挟み込んだワイヤー部分１６に対して屈曲するように傾斜面１５との間に挟み付けて固定する固定具１７を設けてある。
【００１２】
前記固定具１７は、傾斜面１５との間にワイヤー１を挟み込む横断面が円弧状の挟持面１８を形成してある挟持部材１９を、図３に示すように、ワイヤー１を挟み付ける挟持位置とその挟み付けを解除する挟持解除位置とに亘ってスライド移動自在に、楔部材３に支持するとともに、挟持部材１９にアーム２０を延設して、楔部材３を挟んで挟持面１８に対してスライド移動方向で対抗する方向に螺進操作自在なボルト２１を、そのアーム２０に螺合し、ボルト２１の螺進操作で、挟持部材１９を挟持位置と挟持解除位置とにスライド移動自在に設けてある。
【００１３】
前記固定治具Ｂを使用して、撤去対象の埋設管Ａの一端部を把持して地中から引き抜く埋設管引き抜き工法を、図４〜図７を参照しながら説明する。
図４（イ) に示すように、印ロウ管継手（ソケット管接合) などを使用した抜け止め阻止力が小さい継手部分２２を途中箇所に設けてある撤去対象の埋設管Ａの両端部をピット２３ａ，２３ｂ内に露出させて、埋設管Ａの全長に亘ってワイヤー１を通線具等で挿通し、その一端側を埋設管Ａの一端部に外嵌したキャップ２４等に固定するとともに、埋設管Ａの他端部を把持して牽引する牽引装置Ｃを一方のピット２３ａ内に設置する。
【００１４】
前記牽引装置Ｃは、図６に示すように、互いに平行に並べて装備してある左右一対の油圧シリンダ２５と、それらの油圧シリンダ２５のロッドどうしを連結する連結部２６に、油圧シリンダ２５の伸縮方向に沿って、上下揺動自在に支持してある牽引ロッド２７と、牽引ロッド２７の先端部に、油圧シリンダ２５の伸縮方向に沿って、上下揺動自在に支持してある管把持具２８とを備えている。
【００１５】
前記管把持具２８は、図７に示すように、埋設管Ａの上面側に係止する上部係止片２９と、埋設管Ａの下面側に係止する下部係止片３０とを、埋設管Ａの外径よりも広い間隔を隔てて上下に設けて、正面視で略コの字状に形成してあり、上部係止片２９と下部係止片３０との間に埋設管Ａを入り込ませた状態で、牽引方向上手側に倒して、上部係止片２９と下部係止片３０とを埋設管Ａの外周面に上下から係止させることで、埋設管Ａを把持できるようにしてある。
【００１６】
そして、油圧シリンダ２５を収縮させた状態で、管把持具２８で埋設管Ａの一端部を把持してから、油圧シリンダ２５の伸長作動で牽引ロッド２７を移動させることにより、埋設管Ａを油圧シリンダ２５の伸長ストローク分だけ地中から引き出し、管把持具２８を持ち上げて埋設管Ａの把持を解除してから、油圧シリンダ２５を収縮作動させて、再度、管把持具２８で埋設管Ａを把持する作業を繰り返して、埋設管Ａをピット２３ａ内に少しずつ引き出せるようにしてある。
【００１７】
次に、図４（ロ) に示すように、ワイヤー１を切欠き部７に入り込ませて、キャップ部材５を埋設管Ａの他端部に外嵌し、反力受け部材２を埋設管端部に係止するとともに、ワイヤー１をワイヤー挿通溝１０と嵌合部４とに通して牽引装置Ｃの管把持具２８に連結し、牽引装置Ｃを利用して、油圧シリンダ２５の伸長作動でワイヤー１を引っ張って緊張させる。
【００１８】
次に、挟持解除位置に保持してある挟持部材１９の挟持面１８と楔部材３の傾斜面１５との間にワイヤー１を入り込ませながら、楔部材３を嵌合部４に押し込んで、第１嵌合面８と第１楔面１２との間にワイヤー１を挟み込み、固定具１７のボルト２１を楔部材３側に螺進操作して、図２，図３に示したように、ワイヤー１を楔部材３に挟持固定し、牽引装置Ｃによるワイヤー１の引っ張りを解除して、ワイヤー１を管把持具２８から外す。
【００１９】
次に、図５（ハ) に示すように、管把持具２８で埋設管Ａの一端部を把持して、図５（ニ) に示すように、埋設管Ａのピット２３ａ内への引き抜き部分３１の長さが所定長さになるように牽引し、引き抜き部分３１を切断した後、固定具１７による楔部材３へのワイヤー１の挟持固定を解除するとともに、楔部材３を嵌合部４から抜き出してワイヤー１を緩めて、固定治具Ｂを引き抜き部分３１から外し、その固定治具Ｂを使用して、図５（ホ) に示すように、引き抜き部分３１を切断した後の埋設管Ａの端部にワイヤー１を緊張状態で再度固定し、埋設管Ａを全長に亘ってピット２３ａ内に引き抜くまで、上記作業を繰り返す。
【００２０】
〔その他の実施形態〕
１．本発明による索条体固定治具は、埋設管の途中箇所に腐食箇所や破損箇所などがあって、その埋設管の一端部を把持して引き抜こうとすると、埋設管がその箇所でちぎれて分断されてしまうおそれがある場合に、その埋設管を管長手方向に締め込むために使用しても良い。
２．本発明による索条体固定治具は、ポリエチレン樹脂などの樹脂製や鋳鉄製の埋設管を管長手方向に締め込むために使用しても良い。
３．本発明による索条体固定治具は、上水道用や下水道用の埋設管を管長手方向に締め込むために使用しても良い。
【図面の簡単な説明】
【図１】索条体固定治具の斜視図
【図２】要部の断面側面図
【図３】要部の一部切欠き正面図
【図４】埋設管引き抜き工法の説明図
【図５】埋設管引き抜き工法の説明図
【図６】牽引装置の斜視図
【図７】要部の側面図
【図８】従来技術の説明図
【図９】従来技術の説明図
【符号の説明】
Ａ    埋設管
１    索条体
２    反力受け部材
３    楔部材
４    嵌合部
８    嵌合面
１２  楔面
１６  索条体部分
１７  固定具
【図１】
0004412848.tif 000002
【図２】
0004412848.tif 000003
【図３】
0004412848.tif 000004
【図４】
0004412848.tif 000005
【図５】
0004412848.tif 000006
【図６】
0004412848.tif 000007
【図７】
0004412848.tif 000008
【図８】
0004412848.tif 000009
【図９】
0004412848.tif 000010